(57)【要約】  送達確認信号の送信タイミングが柔軟に設定される場合であってもＨＡＲＱ−ＡＣＫコードブックを適切に生成ために、本開示の一態様に係るユーザ端末は、下り共有チャネルのスケジュールに利用される下り制御情報に基づいて前記下り共有チャネルに対する送達確認信号を送信する送信部と、前記下り制御情報で指定される前記送達確認信号の送信スロット、及び前記送達確認信号の上り制御チャネルリソースの少なくとも一方に基づいて前記送達確認信号のコードブックを決定する制御部と、を有する。
2019215934.tif 000002
【特許請求の範囲】
【請求項１】
下り共有チャネルのスケジュールに利用される下り制御情報に基づいて前記下り共有チャネルに対する送達確認信号を送信する送信部と、
前記下り制御情報で指定される前記送達確認信号の送信タイミング及び前記送達確認信号の上り制御チャネルリソースの少なくとも一方に基づいて前記送達確認信号のコードブックを決定する制御部と、を有することを特徴とするユーザ端末。
【請求項２】
前記制御部は、前記下り制御情報で指定される前記送達確認信号の送信タイミングが同じ送達確認信号について同じコードブックを利用することを特徴とする請求項１に記載のユーザ端末。
【請求項３】
前記制御部は、時間方向に最後に送信される下り制御情報に基づいて上り制御チャネルリソースを決定することを特徴とする請求項２に記載のユーザ端末。
【請求項４】
前記制御部は、前記下り制御情報で指定される前記送達確認信号の送信タイミング及び上り制御チャネルリソースが同じ送達確認信号について同じコードブックを利用することを特徴とする請求項１に記載のユーザ端末。
【請求項５】
下り共有チャネルのスケジュールに利用される下り制御情報に基づいて前記下り共有チャネルに対する送達確認信号を送信する工程と、
前記下り制御情報で指定される前記送達確認信号の送信タイミング及び前記送達確認信号の上り制御チャネルリソースの少なくとも一方に基づいて前記送達確認信号のコードブックを決定する工程と、を有することを特徴とするユーザ端末の無線通信方法。
【発明の詳細な説明】
【技術分野】
【０００１】
本開示は、次世代移動通信システムにおけるユーザ端末及び無線通信方法に関する。
【背景技術】
【０００２】
ＵＭＴＳ（Universal  Mobile  Telecommunications  System）ネットワークにおいて、さらなる高速データレート、低遅延などを目的としてロングタームエボリューション（ＬＴＥ：Long  Term  Evolution）が仕様化された（非特許文献１）。また、ＬＴＥからの更なる広帯域化及び高速化を目的として、ＬＴＥの後継システム（例えば、ＬＴＥ−Ａ（LTE-Advanced）、ＦＲＡ（Future  Radio  Access）、４Ｇ、５Ｇ、５Ｇ＋（plus）、ＮＲ（New  RAT）、ＬＴＥ  Ｒｅｌ．１４、１５〜、などともいう）も検討されている。【０００３】
既存のＬＴＥシステム（例えば、ＬＴＥ  Ｒｅｌ．８−１３）では、１ｍｓのサブフレーム（伝送時間間隔（ＴＴＩ：Transmission  Time  Interval）等ともいう）を用いて、下りリンク（ＤＬ：Downlink）及び／又は上りリンク（ＵＬ：Uplink）の通信が行われる。当該サブフレームは、チャネル符号化された１データパケットの送信時間単位であり、スケジューリング、リンクアダプテーション、再送制御（ＨＡＲＱ：Hybrid  Automatic  Repeat  reQuest）などの処理単位となる。【０００４】
また、既存のＬＴＥシステム（例えば、ＬＴＥ  Ｒｅｌ．８−１３）では、ユーザ端末は、上り制御チャネル（例えば、ＰＵＣＣＨ：Physical  Uplink  Control  Channel）又は上り共有チャネル（例えば、ＰＵＳＣＨ：Physical  Uplink  Shared  Channel）を用いて、上り制御情報（ＵＣＩ：Uplink  Control  Information）を送信する。当該上り制御チャネルの構成（フォーマット）は、ＰＵＣＣＨフォーマット等と呼ばれる。
【先行技術文献】
【非特許文献】
【０００５】
【非特許文献１】3GPP  TS  36.300  V8.12.0  “Evolved  Universal  Terrestrial  Radio  Access  (E-UTRA)  and  Evolved  Universal  Terrestrial  Radio  Access  Network  (E-UTRAN);  Overall  description;  Stage  2  (Release  8)”、２０１０年４月
【発明の概要】
【発明が解決しようとする課題】
【０００６】
将来の無線通信システム（例えば、ＬＴＥ  Ｒｅｌ．１５以降、５Ｇ、５Ｇ＋、ＮＲなど）では、上り制御チャネル（例えば、ＰＵＣＣＨ）を用いてＵＣＩを送信する場合、上位レイヤシグナリング及び下り制御情報（ＤＣＩ）内の所定フィールド値に基づいて、当該上り制御チャネル用のリソース（例えば、ＰＵＣＣＨリソース）を決定することが検討されている。【０００７】
また、ＮＲでは、ＤＬ信号（例えば、ＰＤＳＣＨ）に対する送達確認信号（ＨＡＲＱ−ＡＣＫとも呼ぶ）の送信タイミングを当該ＰＤＳＣＨをスケジューリングするＤＣＩでＵＥに指定することが検討されている。そのため、異なる送信期間（例えば、スロット）で送信されるＰＤＳＣＨに対応するＨＡＲＱ−ＡＣＫが同じスロットで送信されるケースも生じる。【０００８】
ＵＥは、ＨＡＲＱ−ＡＣＫをコードブックに基づいて（コードブック単位で）フィードバックするが、複数のＨＡＲＱ−ＡＣＫが同じスロットで送信される場合にＨＡＲＱ−ＡＣＫコードブックの生成をどのように制御するかが問題となる。ＨＡＲＱ−ＡＣＫコードブックを適切に生成できないと通信品質の劣化等が生じるおそれがある。【０００９】
そこで、本開示は、送達確認信号の送信タイミングが柔軟に設定される場合であってもＨＡＲＱ−ＡＣＫコードブックを適切に生成できるユーザ端末及び無線通信方法を提供することを目的の１つとする。
【課題を解決するための手段】
【００１０】
本開示の一態様に係るユーザ端末は、下り共有チャネルのスケジュールに利用される下り制御情報に基づいて前記下り共有チャネルに対する送達確認信号を送信する送信部と、前記下り制御情報で指定される前記送達確認信号の送信タイミング及び前記送達確認信号の上り制御チャネルリソースの少なくとも一方に基づいて前記送達確認信号のコードブックを決定する制御部と、を有することを特徴とする。
【発明の効果】
【００１１】
本開示の一態様によれば、送達確認信号の送信タイミングが柔軟に設定される場合であってもＨＡＲＱ−ＡＣＫコードブックを適切に生成できる。
【図面の簡単な説明】
【００１２】
【図１】図１は、ＰＵＣＣＨリソースの割り当ての一例を示す図である。
【図２】図２は、異なるＰＤＳＣＨに対応するＨＡＲＱ−ＡＣＫの送信方法の一例を示す図である。
【図３】図３は、第１の態様にＨＡＲＱ−ＡＣＫの送信方法の一例を示す図である。
【図４】図４Ａは、第２の態様にＨＡＲＱ−ＡＣＫの送信方法の一例を示す図であり、図４Ｂは、第２の態様にＨＡＲＱ−ＡＣＫの送信方法の他の例を示す図である。
【図５】図５は、一実施形態に係る無線通信システムの概略構成の一例を示す図である。
【図６】図６は、一実施形態に係る無線基地局の全体構成の一例を示す図である。
【図７】図７は、一実施形態に係る無線基地局の機能構成の一例を示す図である。
【図８】図８は、一実施形態に係るユーザ端末の全体構成の一例を示す図である。
【図９】図９は、一実施形態に係るユーザ端末の機能構成の一例を示す図である。
【図１０】図１０は、一実施形態に係る無線基地局及びユーザ端末のハードウェア構成の一例を示す図である。
【発明を実施するための形態】
【００１３】
将来の無線通信システム（例えば、ＬＴＥ  Ｒｅｌ．１５以降、５Ｇ、ＮＲなど）では、ＵＣＩの送信に用いられる上り制御チャネル（例えば、ＰＵＣＣＨ）用の構成（フォーマット、ＰＵＣＣＨフォーマット（ＰＦ）等ともいう）が検討されている。例えば、ＬＴＥ  Ｒｅｌ．１５では、５種類のＰＦ０〜４をサポートすることが検討されている。なお、以下に示すＰＦの名称は例示にすぎず、異なる名称が用いられてもよい。
【００１４】
例えば、ＰＦ０及び１は、２ビット以下（up  to  2  bits）のＵＣＩ（例えば、送達確認情報（ＨＡＲＱ−ＡＣＫ：Hybrid  Automatic  Repeat  reQuest−Acknowledge、ＡＣＫ又はＮＡＣＫ等ともいう））の送信に用いられるＰＦである。ＰＦ０は、１又は２シンボルに割り当て可能であるため、ショートＰＵＣＣＨ又はシーケンスベース（sequence-based）ショートＰＵＣＣＨ等とも呼ばれる。一方、ＰＦ１は、４−１４シンボルに割り当て可能であるため、ロングＰＵＣＣＨ等とも呼ばれる。ＰＦ１では、ＣＳ及びＯＣＣの少なくとも一つを用いた時間領域のブロック拡散により、同一のＰＲＢ内で複数のユーザ端末が符号分割多重（ＣＤＭ）されてもよい。
【００１５】
ＰＦ２−４は、２ビットを超える（more  than  2  bits）ＵＣＩ（例えば、チャネル状態情報（ＣＳＩ：Channel  State  Information）（又は、ＣＳＩとＨＡＲＱ−ＡＣＫ及び／又はスケジューリング要求（ＳＲ）））の送信に用いられるＰＦである。ＰＦ２は、１又は２シンボルに割り当て可能であるため、ショートＰＵＣＣＨ等とも呼ばれる。一方、ＰＦ３、４は、４−１４シンボルに割り当て可能であるため、ロングＰＵＣＣＨ等とも呼ばれる。ＰＦ４では、ＤＦＴ前の（周波数領域）のブロック拡散を用いて複数のユーザ端末がＣＤＭされてもよい。
【００１６】
当該上り制御チャネルの送信に用いられるリソース（例えば、ＰＵＣＣＨリソース）の割り当て（allocation）は、上位レイヤシグナリング及び／又は下り制御情報（ＤＣＩ）を用いて行われる。ここで、上位レイヤシグナリングは、例えば、ＲＲＣ（Radio  Resource  Control）シグナリング、システム情報（例えば、ＲＭＳＩ：Remaining  Minimum  System  Information、ＯＳＩ：Other  system  information、ＭＩＢ：Master  Information  Block、ＳＩＢ：System  Information  Blockの少なくとも一つ）、ブロードキャスト情報（ＰＢＣＨ：Physical  Broadcast  Channel）の少なくとも一つであればよい。
【００１７】
具体的には、ユーザ端末に対しては、一以上のＰＵＣＣＨリソースをそれぞれ含む一以上のセット（ＰＵＣＣＨリソースセット）が上位レイヤシグナリングにより通知（設定（configure））される。例えば、ユーザ端末に対して、Ｋ（例えば、１≦Ｋ≦４）個のＰＵＣＣＨリソースセットが無線基地局から通知されてもよい。各ＰＵＣＣＨリソースセットは、Ｍ（例えば、８≦Ｍ≦３２）個のＰＵＣＣＨリソースを含んでもよい。
【００１８】
ユーザ端末は、ＵＣＩのペイロードサイズ（ＵＣＩペイロードサイズ）に基づいて、設定されたＫ個のＰＵＣＣＨリソースセットから単一のＰＵＣＣＨリソースセットを決定してもよい。ＵＣＩペイロードサイズは、巡回冗長検査（ＣＲＣ：Cyclic  Redundancy  Code）ビットを含まないＵＣＩのビット数であってもよい。
【００１９】
ユーザ端末は、決定されたＰＵＣＣＨリソースセットに含まれるＭ個のＰＵＣＣＨリソースから、ＤＣＩ及び黙示的な（implicit）情報（黙示的指示（implicit  indication）情報又は黙示的インデックス等ともいう）の少なくとも一つに基づいて、ＵＣＩの送信に用いるＰＵＣＣＨリソースを決定してもよい。
【００２０】
図１は、ＰＵＣＣＨリソースの割り当ての一例を示す図である。図１では、一例として、Ｋ＝４であり、４個のＰＵＣＣＨリソースセット＃０−＃３が無線基地局からユーザ端末に上位レイヤシグナリングにより設定（configure）されるものとする。また、ＰＵＣＣＨリソースセット＃０−＃３は、それぞれ、Ｍ（例えば、８≦Ｍ≦３２）個のＰＵＣＣＨリソース＃０−＃Ｍ−１を含むものとする。なお、各ＰＵＣＣＨリソースセットが含むＰＵＣＣＨリソースの数は、同一であってもよいし、異なってもよい。
【００２１】
図１に示すように、ユーザ端末に対してＰＵＣＣＨリソースセット＃０〜＃３が設定される場合、ユーザ端末は、ＵＣＩペイロードサイズに基づいていずれかのＰＵＣＣＨリソースセットを選択する。
【００２２】
例えば、ＵＣＩペイロードサイズが１又は２ビットである場合、ＰＵＣＣＨリソースセット＃０が選択される。また、ＵＣＩペイロードサイズが３ビット以上Ｎ２−１ビット以下である場合、ＰＵＣＣＨリソースセット＃１が選択される。また、ＵＣＩペイロードサイズがＮ２ビット以上Ｎ３−１ビット以下である場合、ＰＵＣＣＨリソースセット＃２が選択される。同様に、ＵＣＩペイロードサイズがＮ３ビット以上Ｎ３−１ビット以下である場合、ＰＵＣＣＨリソースセット＃３が選択される。
【００２３】
このように、ＰＵＣＣＨリソースセット＃ｉ（ｉ＝０，…，Ｋ−１）が選択されるＵＣＩペイロードサイズの範囲は、Ｎｉビット以上Ｎｉ＋１−１ビット以下（すなわち、｛Ｎｉ，…，Ｎｉ＋１−１｝ビット）と示される。
【００２４】
ここで、ＰＵＣＣＨリソースセット＃０、＃１用のＵＣＩペイロードサイズの開始位置（開始ビット数）Ｎ０、Ｎ１は、それぞれ、１、３であってもよい。これにより、２ビット以下のＵＣＩを送信する場合にＰＵＣＣＨリソースセット＃０が選択されるので、ＰＵＣＣＨリソースセット＃０は、ＰＦ０及びＰＦ１の少なくとも一つ用のＰＵＣＣＨリソース＃０〜＃Ｍ−１を含んでもよい。一方、２ビットを超えるＵＣＩを送信する場合にはＰＵＣＣＨリソースセット＃１〜＃３のいずれかが選択されるので、ＰＵＣＣＨリソースセット＃１〜＃３は、それぞれ、ＰＦ２、ＰＦ３及びＰＦ４の少なくとも一つ用のＰＵＣＣＨリソース＃０〜＃Ｍ−１を含んでもよい。
【００２５】
ＮＲでは、ＰＤＳＣＨをスケジュールするＤＣＩを利用して当該ＰＤＳＣＨに対するＨＡＲＱ−ＡＣＫの送信タイミング（例えば、Ｋ１）をＵＥに通知する。Ｋ１は、ＰＵＣＣＨリソースが設定されるスロットに関する情報であってもよい。
【００２６】
ＵＥは、基地局から通知されるＰＵＣＣＨリソースセットと、ＰＤＳＣＨをスケジュールするＤＣＩで通知されるＨＡＲＱ−ＡＣＫの送信タイミングに基づいてＨＡＲＱ−ＡＣＫの送信を制御する。ＨＡＲＱ−ＡＣＫの送信は、ＨＡＲＱ−ＡＣＫコードブックを利用して（ＨＡＲＱ−ＡＣＫコードブック単位）で制御される。
【００２７】
各ＰＤＳＣＨに対するＨＡＲＱ−ＡＣＫ送信タイミングがＤＣＩで柔軟に設定可能であるため、異なるスロットで送信されるＰＤＳＣＨに対するＨＡＲＱ−ＡＣＫの送信タイミングが同じスロットに設定されるケースも生じる（図２参照）。
【００２８】
図２では、スロット（ＳＬ_＃１）で送信されるＰＤＳＣＨに対するＨＡＲＱ−ＡＣＫ＃１と、スロット（ＳＬ_＃３）で送信されるＰＤＳＣＨに対するＨＡＲＱ−ＡＣＫ＃２の送信タイミングが同じスロット（ここでは、スロット（ＳＬ_＃７））に設定される場合を示している。例えば、ＰＤＳＣＨ＃１をスケジューリングするＤＣＩ＃１に含まれるＫ１＝６、ＰＤＳＣＨ＃２をスケジューリングするＤＣＩ＃２に含まれるＫ１＝４であった場合、ＨＡＲＱ−ＡＣＫ＃１及びＨＡＲＱ−ＡＣＫ＃２の送信タイミングが同じスロット（ＳＬ_＃７）に設定される。
【００２９】
かかる場合、ＨＡＲＱ−ＡＣＫ＃１とＨＡＲＱ−ＡＣＫ＃２の送信をどのように制御するか、例えば、スロット（ＳＬ_＃７）におけるＨＡＲＱ−ＡＣＫコードブックをどのように生成するかが問題となる。
【００３０】
ＨＡＲＱ−ＡＣＫを報告するユーザ端末は、ユーザ端末が検出した最後のＤＣＩフォーマットに基づいてＰＵＣＣＨリソースを決定することが規格で決められている。図２に示す例において、ＤＣＩ＃１が指示するＰＵＣＣＨリソース＃１を用いてＨＡＲＱ−ＡＣＫ＃１を送信し、ＤＣＩ＃２が指示するＰＵＣＣＨリソース＃２を用いてＨＡＲＱ−ＡＣＫ＃２を送信する場合は、ＨＡＲＱ−ＡＣＫ＃１とＨＡＲＱ−ＡＣＫ＃２が異なるＨＡＲＱ−ＡＣＫコードブックにセットされるので、ユーザ端末はＤＣＩ＃１とＤＣＩ＃２がそれぞれ最後のＤＣＩフォーマットであると解釈していることになる。
【００３１】
一方、ＤＣＩ＃２が最後のＤＣＩフォーマットであると解釈するならば、ＨＡＲＱ−ＡＣＫ＃１とＨＡＲＱ−ＡＣＫ＃２を同じＨＡＲＱ−ＡＣＫコードブックにセットして、ＰＵＣＣＨリソース＃２を利用して送信することになる。このように、どの範囲のＡＲＱ−ＡＣＫを同じＰＵＣＣＨリソースにまとめて送信するべきなのか必ずしも明確になっていない。
【００３２】
本発明者等は、ＨＡＲＱ−ＡＣＫ送信に関するパラメータである送信タイミング（指定されるスロット）と、送信に利用するＰＵＣＣＨリソースとに着目し、これらのパラメータに基づいてＨＡＲＱ−ＡＣＫの送信（例えば、ＨＡＲＱ−ＡＣＫコードブックの生成）を制御することを着想した。
【００３３】
以下、本発明に係る実施形態について、図面を参照して詳細に説明する。以下に示す各態様は、それぞれ単独で適用されてもよいし、組み合わせて適用されてもよい。なお、以下の説明において、ＰＵＣＣＨリソースとＰＵＣＣＨフォーマットは適宜読み替えてもよい。
【００３４】
（第１の態様）
第１の態様は、ＤＣＩで通知されるＨＡＲＱ−ＡＣＫの送信タイミング（例えば、ＰＵＣＣＨリソースが割当てられるスロット）に基づいてＨＡＲＱ−ＡＣＫコードブックの生成を制御する。
【００３５】
第１の態様は、ＤＣＩで通知されるＨＡＲＱ−ＡＣＫの送信タイミング（スロット）が同じであれば、同じスロットで送られるＨＡＲＱ−ＡＣＫを同じＨＡＲＱ−ＡＣＫコードブックにセットするように制御する。
【００３６】
例えば、複数のＰＤＳＣＨをそれぞれスケジュールする各ＤＣＩが、ＨＡＲＱ−ＡＣＫの送信タイミング（ＰＵＣＣＨリソースが割り当てられるスロット）として同じスロットを示しているケースを想定する。この場合、第１の態様では、同じスロットに含まれる１以上のＨＡＲＱ−ＡＣＫを同じＨＡＲＱ−ＡＣＫコードブックにセットする。
【００３７】
このように、ユーザ端末は、ＤＣＩで通知されるＨＡＲＱ−ＡＣＫの送信タイミング（スロット）が同じであれば、それらのＨＡＲＱ−ＡＣＫが同じＨＡＲＱ−ＡＣＫコードブックにセットされるように、ＨＡＲＱ−ＡＣＫコードブックの生成を制御する。複数のＨＡＲＱ−ＡＣＫがセットされたＨＡＲＱ−ＡＣＫコードブックは、所定のＰＵＣＣＨリソースを用いてまとめて送信される。所定のＰＵＣＣＨリソースは、例えば、ユーザ端末が検出した最後のＤＣＩフォーマットに基づいて決定したＰＵＣＣＨリソースであってもよい。
【００３８】
図３を参照して、ＨＡＲＱ−ＡＣＫコードブックの制御及びＰＵＣＣＨを用いたＨＡＲＱ−ＡＣＫフィードバックについて説明する。
【００３９】
ユーザ端末は、スロット（ＳＬ＃ｌ）においてＤＣＩ＃１でスケジューリングされるＰＤＳＣＨ＃１を受信し、スロット（ＳＬ＃３）においてＤＣＩ＃２でスケジューリングされるＰＤＳＣＨ＃２を受信している。本例では、ＤＣＩ＃１及びＤＣＩ＃２に関して、ＤＣＩ＃２をユーザ端末が検出する最後のＤＣＩであると解釈する。
【００４０】
ＤＣＩ＃１は、ＰＤＳＣＨ＃１をスケジュールしていて、ＤＣＩ＃１にセットされたパラメータＫ１（＝６）によって、ＰＤＳＣＨ＃１に対するＨＡＲＱ−ＡＣＫを送信するスロットを指示している。ＤＣＩ＃２は、ＰＤＳＣＨ＃２をスケジュールしていて、ＤＣＩ＃２にセットされたパラメータＫ１（＝４）によって、ＰＤＳＣＨ＃２に対するＨＡＲＱ−ＡＣＫを送信するスロットを指示している。本例では、ＤＣＩ＃１とＤＣＩ＃２が同じスロット（ＳＬ＃７）を指示している。
【００４１】
さらに、ＤＣＩ＃１に含まれるＰＵＣＣＨインディケータフィールドはＰＵＣＣＨリソース＃１を指示しており、ＤＣＩ＃２に含まれるＰＵＣＣＨインディケータフィールドはＰＵＣＣＨリソース＃２を指示している。ＰＵＣＣＨリソース＃１は、スロット（ＳＬ＃７）の先頭２シンボルが割り当てられていて、ＰＵＣＣＨリソース＃２は、スロット（ＳＬ＃７）の最終２シンボルが割り当てられている。
【００４２】
ユーザ端末は、スロット（ＳＬ＃１）、スロット（ＳＬ＃３）において、ＤＣＩ＃１、ＤＣＩ＃２をそれぞれ検出し、ＤＣＩ＃１、ＤＣＩ＃２に基づいてＰＤＳＣＨ＃１及びＰＤＳＣＨ＃２を復調し、ＰＤＳＣＨ＃１及びＰＤＳＣＨ＃２に対するＨＡＲＱ−ＡＣＫ＃１及びＨＡＲＱ−ＡＣＫ＃２を決定する。
【００４３】
ユーザ端末は、ＤＣＩ＃１、＃２で通知されるＨＡＲＱ−ＡＣＫの送信タイミング（例えば、ＰＵＣＣＨリソースが割当てられるスロット）に基づいて、ＨＡＲＱ−ＡＣＫコードブックの生成を制御する。具体的には、ＤＣＩ＃１、＃２で通知されるＨＡＲＱ−ＡＣＫの送信タイミング（スロット）が同じスロット（ＳＬ＃７）であることを認識する。その認識結果を受けて、ＰＤＳＣＨ＃１及びＰＤＳＣＨ＃２に対するＨＡＲＱ−ＡＣＫ＃１及びＨＡＲＱ−ＡＣＫ＃２を、同じＨＡＲＱ−ＡＣＫコードブックにセットするためのＨＡＲＱ−ＡＣＫコードブックを生成する。
【００４４】
第１の態様によれば、複数のＤＣＩ＃１とＤＣＩ＃２（ＰＵＣＣＨインディケータフィールド）が異なるＰＵＣＣＨリソース＃１、＃２を指示していたとしても、指示されているスロットが同じであれば、複数のＨＡＲＱ−ＡＣＫ＃１、ＨＡＲＱ−ＡＣＫ＃２を、同じＨＡＲＱ−ＡＣＫコードブックにセットする。
【００４５】
ユーザ端末は、複数のＨＡＲＱ−ＡＣＫ＃１、ＨＡＲＱ−ＡＣＫ＃２がセットされたＨＡＲＱ−ＡＣＫコードブックを所定のＰＵＣＣＨリソースに割り当てる。本例では、ＤＣＩ＃２についてユーザ端末が検出する最後のＤＣＩであると解釈する。ユーザ端末は、ＤＣＩ＃２に含まれるＰＵＣＣＨインディケータフィールドによって、ＰＵＣＣＨリソース＃２はスロット（ＳＬ＃７）の最終２シンボルが割り当てられていることを認識する。
【００４６】
そして、複数のＨＡＲＱ−ＡＣＫ＃１、ＨＡＲＱ−ＡＣＫ＃２がセットされたＨＡＲＱ−ＡＣＫコードブックを、スロット（ＳＬ＃７）の最終２シンボルに対応したＰＵＣＣＨリソース＃２に割り当てる。この結果、ＰＤＳＣＨ＃１、＃２に対する各ＨＡＲＱ−ＡＣＫがスロット（ＳＬ＃７）の最終２シンボルに対応したＰＵＣＣＨリソースを用いてフィードバックされる。
【００４７】
このように、ＰＵＣＣＨリソースの決定は、ＨＡＲＱ−ＡＣＫフィードバックについて同じスロットを指示するＤＣＩの中でＵＥが検出した最後のＤＣＩ（例えば、ＤＣＩフォーマット１＿０又はＤＣＩフォーマット１＿１）におけるＰＵＣＣＨリソースインディケータフィールドに基づいて行うことができる。
【００４８】
上述したように、ＤＣＩにより指示されるスロット（例えば、ＰＵＣＣＨが設定されるスロット）が同じである場合に、複数のＨＡＲＱ−ＡＣＫを、同じＨＡＲＱ−ＡＣＫコードブックにセットする。このため、ＵＥは、ＨＡＲＱ−ＡＣＫの送信タイミングに基づいて所定スロットにおいて１つのコードブックを生成するため、ＵＥの処理負荷を低減することができる。なお、上記説明では、適用するＰＵＣＣＨリソースを最後に送信されるＤＣＩで指定されるリソースとする場合を示したが、これに限られず、最初に送信されるＤＣＩで指定されるリソースを利用してもよい。
【００４９】
（第２の態様）
第２の態様は、ＤＣＩで通知されるＨＡＲＱ−ＡＣＫの送信タイミング（例えば、ＰＵＣＣＨリソースが割当てられるスロット）に加えて、設定されるＰＵＣＣＨリソースに基づいてＨＡＲＱ−ＡＣＫコードブックの生成を制御する。
【００５０】
例えば、複数のＰＤＳＣＨをそれぞれスケジュールする各ＤＣＩが、同じＨＡＲＱ−ＡＣＫの送信タイミング（スロット）を指示していて、加えて同じＰＵＣＣＨリソースを指示しているケースを想定する。この場合、第２の態様では、複数のＰＤＳＣＨに対する複数のＨＡＲＱ−ＡＣＫは同じＨＡＲＱ−ＡＣＫコードブックにセットされる。
【００５１】
このように、ユーザ端末は、ＤＣＩで通知されるＨＡＲＱ−ＡＣＫの送信タイミング（スロット）が同じで、かつＤＣＩで通知されるＰＵＣＣＨリソースが同じであれば、それらのＨＡＲＱ−ＡＣＫが同じＨＡＲＱ−ＡＣＫコードブックにセットされるように、ＨＡＲＱ−ＡＣＫコードブックの生成を制御する。
【００５２】
複数のＨＡＲＱ−ＡＣＫがセットされたＨＡＲＱ−ＡＣＫコードブックは、ＤＣＩで指定されたＰＵＣＣＨリソースを用いてまとめて送信される。また、ユーザ端末は、ＤＣＩで通知されるＨＡＲＱ−ＡＣＫの送信タイミング（スロット）が同じであっても、ＤＣＩで通知されるＰＵＣＣＨリソースが異なれば、それらのＨＡＲＱ−ＡＣＫは異なるＨＡＲＱ−ＡＣＫコードブックにセットされるように、ＨＡＲＱ−ＡＣＫコードブックの生成を制御する。
【００５３】
図４Ａを参照して、ＨＡＲＱ−ＡＣＫコードブックの制御及びＰＵＣＣＨを用いたＨＡＲＱ−ＡＣＫフィードバックについて説明する。ユーザ端末は、スロット（ＳＬ＃１）においてＤＣＩ＃１でスケジューリングされるＰＤＳＣＨ＃１を受信し、スロット（ＳＬ＃３）においてＤＣＩ＃２でスケジューリングされるＰＤＳＣＨ＃２を受信している。
【００５４】
ＤＣＩ＃１は、ＰＤＳＣＨ＃１をスケジュールしていて、ＤＣＩ＃１にセットされたパラメータＫ１（＝６）によって、ＰＤＳＣＨ＃１に対するＨＡＲＱ−ＡＣＫを送信するスロット（ＳＬ＃７）が指示されている。ＤＣＩ＃２は、ＰＤＳＣＨ＃２をスケジュールしていて、ＤＣＩ＃２にセットされたパラメータＫ１（＝４）によって、ＰＤＳＣＨ＃２に対するＨＡＲＱ−ＡＣＫを送信するスロット（ＳＬ＃７）が指示されている。
【００５５】
加えて、ＤＣＩ＃１に含まれるＰＵＣＣＨインディケータフィールドはＰＵＣＣＨリソース＃Ｌを指示しており、ＤＣＩ＃２に含まれるＰＵＣＣＨインディケータフィールドはＰＵＣＣＨリソース＃Ｌを指示している。すなわち、ＤＣＩ＃１及び＃２にそれぞれ含まれるＰＵＣＣＨインディケータフィールドは同じＰＵＣＣＨリソース＃Ｌを指示している。ＰＵＣＣＨリソース＃Ｌは、スロット（ＳＬ＃７）の最終２シンボルが割り当てられている。
【００５６】
ユーザ端末は、スロット（ＳＬ＃１）、（ＳＬ＃３）において、ＤＣＩ＃１、ＤＣＩ＃２をそれぞれ検出し、ＤＣＩ＃１、ＤＣＩ＃２に基づいてＰＤＳＣＨ＃１、ＰＤＳＣＨ＃２を復調し、ＰＤＳＣＨ＃１、ＰＤＳＣＨ＃２に対するＨＡＲＱ−ＡＣＫ＃１、ＨＡＲＱ−ＡＣＫ＃２を決定する。ユーザ端末は、ＤＣＩ＃１、＃２で通知される、ＨＡＲＱ−ＡＣＫの送信タイミング（スロット）及びＰＵＣＣＨリソースに基づいて、ＨＡＲＱ−ＡＣＫコードブックの生成を制御する。
【００５７】
具体的には、図４Ａに示す例では、ＤＣＩ＃１、＃２で通知されるＨＡＲＱ−ＡＣＫの送信タイミング（スロット（ＳＬ＃７））が同じであり、加えてＰＵＣＣＨリソースが同じである（ＰＵＣＣＨリソース＃Ｌ）。ユーザ端末は、ＤＣＩ＃１、＃２で通知されるＨＡＲＱ−ＡＣＫの送信タイミング（スロット（ＳＬ＃７））が同じであり、加えてＰＵＣＣＨリソース（ＰＵＣＣＨリソース＃Ｌ）が同じであれば、ＰＤＳＣＨ＃１及びＰＤＳＣＨ＃２に対するＨＡＲＱ−ＡＣＫ＃１及びＨＡＲＱ−ＡＣＫ＃２を、同じＨＡＲＱ−ＡＣＫコードブックにセットするためのＨＡＲＱ−ＡＣＫコードブックを生成する。
【００５８】
第２の態様は、ＤＣＩで通知されるＰＵＣＣＨリソースが異なる場合は、スロットが同じであっても、ＨＡＲＱ−ＡＣＫ＃１、ＨＡＲＱ−ＡＣＫ＃２を、異なるＨＡＲＱ−ＡＣＫコードブックにセットする。図４Ｂに示されるように、ＤＣＩ＃１、＃２で通知されるＨＡＲＱ−ＡＣＫの送信タイミング（スロット（ＳＬ＃７））は同じであるが、ＤＣＩ＃１と＃２の間でＰＵＣＣＨリソース＃１、＃２が異なるケースが想定される。
【００５９】
この場合、ＰＤＳＣＨ＃１に対するＨＡＲＱ−ＡＣＫ＃１はＨＡＲＱ−ＡＣＫコードブックにセットされ、ＤＣＩ＃１で指示されたＰＵＣＣＨリソース＃１に割り当てられる。一方、ＰＤＳＣＨ＃２に対するＨＡＲＱ−ＡＣＫ＃２は別のＨＡＲＱ−ＡＣＫコードブックにセットされ、ＤＣＩ＃２で指示されたＰＵＣＣＨリソース＃２に割り当てられる。
【００６０】
このように、ＰＵＣＣＨリソースの決定は、ＨＡＲＱ−ＡＣＫフィードバックについて同じスロットを指示し、且つ当該スロットにおいて同じＰＵＣＣＨリソースを指示するＤＣＩの中でＵＥが検出した最後のＤＣＩ（例えば、ＤＣＩフォーマット１＿０又はＤＣＩフォーマット１＿１）におけるＰＵＣＣＨリソースインディケータフィールドに基づいて行うことができる。
【００６１】
上述したように、スロットだけでなくＰＵＣＣＨリソースの一致まで条件に加えたことにより、同じＨＡＲＱ−ＡＣＫコードブックにセットされるＨＡＲＱ−ＡＣＫ数、同じＰＵＣＣＨリソースに集約されるＨＡＲＱ−ＡＣＫ数を柔軟に制御できる。また、同一スロットにおける異なるＰＵＣＣＨリソースを利用したＨＡＲＱ−ＡＣＫ送信が可能となる。
【００６２】
（第３の態様）
第３の態様は、設定されるＰＵＣＣＨリソースの時間領域における重複有無に基づいてＨＡＲＱ−ＡＣＫコードブックの生成を制御する。
【００６３】
例えば、複数のＰＤＳＣＨをそれぞれスケジュールする各ＤＣＩが、時間領域に重複するＰＵＣＣＨリソースを指示しているケースを想定する。この場合、複数のＰＤＳＣＨに対する複数のＨＡＲＱ−ＡＣＫは同じＨＡＲＱ−ＡＣＫコードブックにセットされてもよい。つまり、ＰＤＳＣＨをスケジューリングするＤＣＩで指定されるＰＵＣＣＨリソースが時間領域において重複する場合には、各ＰＤＳＣＨに対するＨＡＲＱ−ＡＣＫに同じＨＡＲＱ−ＡＣＫコードブックを適用する。なお、この場合、複数のＰＤＳＣＨをそれぞれスケジュールする各ＤＣＩが、同じＨＡＲＱ−ＡＣＫの送信タイミング（スロット）を指示する場合に相当する。
【００６４】
ＰＵＣＣＨリソースが時間領域において重複するとは、以下のいずれかのケースとしてもよい。
ケース１：複数のＰＵＣＣＨリソースが時間領域において完全に重複する場合
ケース２：複数のＰＵＣＣＨリソース間で少なくとも一部が重複する場合
ケース３：各ＰＵＣＣＨリソースの開始シンボル（スタートシンボル）及び終了シンボル（エンドシンボル）の両方又は一方が同じである場合
【００６５】
なお、ケース１には、一方のＰＵＣＣＨリソースが他のＰＵＣＣＨリソース範囲に含まれるケースであってもよい。
【００６６】
このように、時間領域において重複して設定されるＰＵＣＣＨリソースに対応するＨＡＲＱ−ＡＣＫを同じコードブックにセットすることにより、異なるＰＵＣＣＨリソースが時間領域で重複する場合でも、衝突を避けて複数のＨＡＲＱ−ＡＣＫを適切に送信することが可能となる。
【００６７】
また、ＰＵＣＣＨリソースの一部が重複する場合、ＨＡＲＱ−ＡＣＫフィードバックに利用するＰＵＣＣＨリソースは、最後に通知されるＤＣＩで指定されるＰＵＣＣＨリソースとしてもよい。例えば、ＰＵＣＣＨリソースの決定は、ＨＡＲＱ−ＡＣＫフィードバックについて同じスロットを指示し、且つ当該スロットにおいて一部又は完全に重複するＰＵＣＣＨリソースを指示するＤＣＩの中でＵＥが検出した最後のＤＣＩ（例えば、ＤＣＩフォーマット１＿０又はＤＣＩフォーマット１＿１）におけるＰＵＣＣＨリソースインディケータフィールドに基づいて行うことができる。
【００６８】
（バリエーション）
第１の態様に基づいたＨＡＲＱ−ＡＣＫコードブックの制御方式と、第２の態様に基づいたＨＡＲＱ−ＡＣＫコードブックの制御方式と、第３の態様に基づいたＨＡＲＱ−ＡＣＫコードブックの制御方式とを、所定の状況に応じて変更しても良い。なお、３つの制御方式を状況に応じて選択してもよいし、３つの制御方式のうち２つの制御方式を定義して状況に応じて選択する構成としてもよい。所定の状況はサービスタイプであっても良い。例えば、ｅＭＢＢ（ｅｎｈａｎｃｅｄ  Ｍｏｂｉｌｅ  ＢｒｏａｄＢａｎｄ）は高速大容量のサービスタイプであり（第１のサービスタイプと呼ぶ）、ＵＲＬＬＣ（Ｕｌｔｒａ−Ｒｅｌｉａｂｌｅ  ａｎｄ  Ｌｏｗ  Ｌａｔｅｎｃｙ  Ｃｏｍｍｕｎｉｃａｔｉｏｎｓ）は超高信頼低遅延のサービスタイプである（第２のサービスタイプと呼ぶ）。
【００６９】
第１のサービスタイプが適用される場合は、第１の態様に基づいたＨＡＲＱ−ＡＣＫコードブックの制御方式を適用し、第２のサービスタイプが適用される場合は、第２の態様（又は、第３の態様）に基づいたＨＡＲＱ−ＡＣＫコードブックの制御方式を適用する。
【００７０】
第１の態様に基づいた制御方式は、複数のＨＡＲＱ−ＡＣＫが特定のＰＵＣＣＨリソースに集中する傾向が強くなるので、低遅延の観点からは好ましくない。ＵＲＬＬＣは超高信頼低遅延のサービスタイプであるので、低遅延の観点から第１の態様よりも第２の態様（又は、第３の態様）に基づいた制御方式が好ましいケースが多いことが予想される。そこで、第２のサービスタイプが適用される場合は、第２の態様に基づいた制御方式を適用している。
【００７１】
ユーザ端末は、ハイヤーレイヤーパラメータ、ＤＣＩ、ＳＲの少なくとも１つによってサービスタイプがネットワークから指示されても良い。または、ユーザ端末は、ＰＤＣＣＨを繰り返し送信する場合、繰り返すＰＵＣＣＨのＤｕｒａｔｉｏｎ、及びＰＵＣＣＨを送信するスロットまでの期間の少なくとも一方を用いてサービスタイプを認識しても良い。
【００７２】
（無線通信システム）
以下、本発明の一実施形態に係る無線通信システムの構成について説明する。この無線通信システムでは、本発明の上記各実施形態に係る無線通信方法のいずれか又はこれらの組み合わせを用いて通信が行われる。
【００７３】
図５は、本発明の一実施形態に係る無線通信システムの概略構成の一例を示す図である。無線通信システム１では、ＬＴＥシステムのシステム帯域幅（例えば、２０ＭＨｚ）を１単位とする複数の基本周波数ブロック（コンポーネントキャリア）を一体としたキャリアアグリゲーション（ＣＡ）及び／又はデュアルコネクティビティ（ＤＣ）を適用することができる。
【００７４】
なお、無線通信システム１は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＮＲ（New  Radio）、ＦＲＡ（Future  Radio  Access）、Ｎｅｗ−ＲＡＴ（Radio  Access  Technology）などと呼ばれてもよいし、これらを実現するシステムと呼ばれてもよい。
【００７５】
無線通信システム１は、比較的カバレッジの広いマクロセルＣ１を形成する無線基地局１１と、マクロセルＣ１内に配置され、マクロセルＣ１よりも狭いスモールセルＣ２を形成する無線基地局１２（１２ａ−１２ｃ）と、を備えている。また、マクロセルＣ１及び各スモールセルＣ２には、ユーザ端末２０が配置されている。各セル及びユーザ端末２０の配置、数などは、図に示す態様に限定されない。
【００７６】
ユーザ端末２０は、無線基地局１１及び無線基地局１２の双方に接続することができる。ユーザ端末２０は、マクロセルＣ１及びスモールセルＣ２を、ＣＡ又はＤＣを用いて同時に使用することが想定される。また、ユーザ端末２０は、複数のセル（ＣＣ）（例えば、５個以下のＣＣ、６個以上のＣＣ）を用いてＣＡ又はＤＣを適用してもよい。
【００７７】
ユーザ端末２０と無線基地局１１との間は、相対的に低い周波数帯域（例えば、２ＧＨｚ）で帯域幅が狭いキャリア（既存キャリア、legacy  carrierなどとも呼ばれる）を用いて通信を行うことができる。一方、ユーザ端末２０と無線基地局１２との間は、相対的に高い周波数帯域（例えば、３．５ＧＨｚ、５ＧＨｚなど）で帯域幅が広いキャリアが用いられてもよいし、無線基地局１１との間と同じキャリアが用いられてもよい。なお、各無線基地局が利用する周波数帯域の構成はこれに限られない。
【００７８】
また、ユーザ端末２０は、各セルで、時分割複信（ＴＤＤ：Time  Division  Duplex）及び／又は周波数分割複信（ＦＤＤ：Frequency  Division  Duplex）を用いて通信を行うことができる。また、各セル（キャリア）では、単一のニューメロロジーが適用されてもよいし、複数の異なるニューメロロジーが適用されてもよい。
【００７９】
無線基地局１１と無線基地局１２との間（又は、２つの無線基地局１２間）は、有線（例えば、ＣＰＲＩ（Common  Public  Radio  Interface）に準拠した光ファイバ、Ｘ２インターフェースなど）又は無線によって接続されてもよい。
【００８０】
無線基地局１１及び各無線基地局１２は、それぞれ上位局装置３０に接続され、上位局装置３０を介してコアネットワーク４０に接続される。なお、上位局装置３０には、例えば、アクセスゲートウェイ装置、無線ネットワークコントローラ（ＲＮＣ）、モビリティマネジメントエンティティ（ＭＭＥ）などが含まれるが、これに限定されない。また、各無線基地局１２は、無線基地局１１を介して上位局装置３０に接続されてもよい。
【００８１】
なお、無線基地局１１は、相対的に広いカバレッジを有する無線基地局であり、マクロ基地局、集約ノード、ｅＮＢ（eNodeB）、送受信ポイント、などと呼ばれてもよい。また、無線基地局１２は、局所的なカバレッジを有する無線基地局であり、スモール基地局、マイクロ基地局、ピコ基地局、フェムト基地局、ＨｅＮＢ（Home  eNodeB）、ＲＲＨ（Remote  Radio  Head）、送受信ポイントなどと呼ばれてもよい。以下、無線基地局１１及び１２を区別しない場合は、無線基地局１０と総称する。
【００８２】
各ユーザ端末２０は、ＬＴＥ、ＬＴＥ−Ａなどの各種通信方式に対応した端末であり、移動通信端末（移動局）だけでなく固定通信端末（固定局）を含んでもよい。
【００８３】
無線通信システム１においては、無線アクセス方式として、下りリンクに直交周波数分割多元接続（ＯＦＤＭＡ：Orthogonal  Frequency  Division  Multiple  Access）が適用され、上りリンクにシングルキャリア−周波数分割多元接続（ＳＣ−ＦＤＭＡ：Single  Carrier  Frequency  Division  Multiple  Access）及び／又はＯＦＤＭＡが適用される。
【００８４】
ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域幅を端末毎に１つ又は連続したリソースブロックによって構成される帯域に分割し、複数の端末が互いに異なる帯域を用いることで、端末間の干渉を低減するシングルキャリア伝送方式である。なお、上り及び下りの無線アクセス方式は、これらの組み合わせに限らず、他の無線アクセス方式が用いられてもよい。
【００８５】
無線通信システム１では、下りリンクのチャネルとして、各ユーザ端末２０で共有される下り共有チャネル（ＰＤＳＣＨ：Physical  Downlink  Shared  Channel）、ブロードキャストチャネル（ＰＢＣＨ：Physical  Broadcast  Channel）、下りＬ１／Ｌ２制御チャネルなどが用いられる。ＰＤＳＣＨによって、ユーザデータ、上位レイヤ制御情報、ＳＩＢ（System  Information  Block）などが伝送される。また、ＰＢＣＨによって、ＭＩＢ（Master  Information  Block）が伝送される。
【００８６】
下りＬ１／Ｌ２制御チャネルは、ＰＤＣＣＨ（Physical  Downlink  Control  Channel）、ＥＰＤＣＣＨ（Enhanced  Physical  Downlink  Control  Channel）、ＰＣＦＩＣＨ（Physical  Control  Format  Indicator  Channel）、ＰＨＩＣＨ（Physical  Hybrid-ARQ  Indicator  Channel）などを含む。ＰＤＣＣＨによって、ＰＤＳＣＨ及び／又はＰＵＳＣＨのスケジューリング情報を含む下り制御情報（ＤＣＩ：Downlink  Control  Information）などが伝送される。
【００８７】
なお、ＤＣＩによってスケジューリング情報が通知されてもよい。例えば、ＤＬデータ受信をスケジューリングするＤＣＩは、ＤＬアサインメントと呼ばれてもよいし、ＵＬデータ送信をスケジューリングするＤＣＩは、ＵＬグラントと呼ばれてもよい。
【００８８】
ＰＣＦＩＣＨによって、ＰＤＣＣＨに用いるＯＦＤＭシンボル数が伝送される。ＰＨＩＣＨによって、ＰＵＳＣＨに対するＨＡＲＱ（Hybrid  Automatic  Repeat  reQuest）の送達確認情報（例えば、再送制御情報、ＨＡＲＱ−ＡＣＫ、ＡＣＫ／ＮＡＣＫなどともいう）が伝送される。ＥＰＤＣＣＨは、ＰＤＳＣＨ（下り共有データチャネル）と周波数分割多重され、ＰＤＣＣＨと同様にＤＣＩなどの伝送に用いられる。
【００８９】
無線通信システム１では、上りリンクのチャネルとして、各ユーザ端末２０で共有される上り共有チャネル（ＰＵＳＣＨ：Physical  Uplink  Shared  Channel）、上り制御チャネル（ＰＵＣＣＨ：Physical  Uplink  Control  Channel）、ランダムアクセスチャネル（ＰＲＡＣＨ：Physical  Random  Access  Channel）などが用いられる。ＰＵＳＣＨによって、ユーザデータ、上位レイヤ制御情報などが伝送される。また、ＰＵＣＣＨによって、下りリンクの無線品質情報（ＣＱＩ：Channel  Quality  Indicator）、送達確認情報、スケジューリングリクエスト（ＳＲ：Scheduling  Request）などが伝送される。ＰＲＡＣＨによって、セルとの接続確立のためのランダムアクセスプリアンブルが伝送される。
【００９０】
無線通信システム１では、下り参照信号として、セル固有参照信号（ＣＲＳ：Cell-specific  Reference  Signal）、チャネル状態情報参照信号（ＣＳＩ−ＲＳ：Channel  State  Information-Reference  Signal）、復調用参照信号（ＤＭＲＳ：DeModulation  Reference  Signal）、位置決定参照信号（ＰＲＳ：Positioning  Reference  Signal）などが伝送される。また、無線通信システム１では、上り参照信号として、測定用参照信号（ＳＲＳ：Sounding  Reference  Signal）、復調用参照信号（ＤＭＲＳ）などが伝送される。なお、ＤＭＲＳはユーザ端末固有参照信号（UE-specific  Reference  Signal）と呼ばれてもよい。また、伝送される参照信号は、これらに限られない。
【００９１】
（無線基地局）
図６は、本発明の一実施形態に係る無線基地局の全体構成の一例を示す図である。無線基地局１０は、複数の送受信アンテナ１０１と、アンプ部１０２と、送受信部１０３と、ベースバンド信号処理部１０４と、呼処理部１０５と、伝送路インターフェース１０６と、を備えている。なお、送受信アンテナ１０１、アンプ部１０２、送受信部１０３は、それぞれ１つ以上を含むように構成されればよい。
【００９２】
下りリンクによって無線基地局１０からユーザ端末２０に送信されるユーザデータは、上位局装置３０から伝送路インターフェース１０６を介してベースバンド信号処理部１０４に入力される。
【００９３】
ベースバンド信号処理部１０４では、ユーザデータに関して、ＰＤＣＰ（Packet  Data  Convergence  Protocol）レイヤの処理、ユーザデータの分割・結合、ＲＬＣ（Radio  Link  Control）再送制御などのＲＬＣレイヤの送信処理、ＭＡＣ（Medium  Access  Control）再送制御（例えば、ＨＡＲＱの送信処理）、スケジューリング、伝送フォーマット選択、チャネル符号化、逆高速フーリエ変換（ＩＦＦＴ：Inverse  Fast  Fourier  Transform）処理、プリコーディング処理などの送信処理が行われて送受信部１０３に転送される。また、下り制御信号に関しても、チャネル符号化、逆高速フーリエ変換などの送信処理が行われて、送受信部１０３に転送される。
【００９４】
送受信部１０３は、ベースバンド信号処理部１０４からアンテナ毎にプリコーディングして出力されたベースバンド信号を無線周波数帯に変換して送信する。送受信部１０３で周波数変換された無線周波数信号は、アンプ部１０２によって増幅され、送受信アンテナ１０１から送信される。送受信部１０３は、本発明に係る技術分野での共通認識に基づいて説明されるトランスミッター／レシーバー、送受信回路又は送受信装置から構成することができる。なお、送受信部１０３は、一体の送受信部として構成されてもよいし、送信部及び受信部から構成されてもよい。
【００９５】
一方、上り信号については、送受信アンテナ１０１で受信された無線周波数信号がアンプ部１０２で増幅される。送受信部１０３はアンプ部１０２で増幅された上り信号を受信する。送受信部１０３は、受信信号をベースバンド信号に周波数変換して、ベースバンド信号処理部１０４に出力する。
【００９６】
ベースバンド信号処理部１０４では、入力された上り信号に含まれるユーザデータに対して、高速フーリエ変換（ＦＦＴ：Fast  Fourier  Transform）処理、逆離散フーリエ変換（ＩＤＦＴ：Inverse  Discrete  Fourier  Transform）処理、誤り訂正復号、ＭＡＣ再送制御の受信処理、ＲＬＣレイヤ及びＰＤＣＰレイヤの受信処理がなされ、伝送路インターフェース１０６を介して上位局装置３０に転送される。呼処理部１０５は、通信チャネルの呼処理（設定、解放など）、無線基地局１０の状態管理、無線リソースの管理などを行う。
【００９７】
伝送路インターフェース１０６は、所定のインターフェースを介して、上位局装置３０と信号を送受信する。また、伝送路インターフェース１０６は、基地局間インターフェース（例えば、ＣＰＲＩ（Common  Public  Radio  Interface）に準拠した光ファイバ、Ｘ２インターフェース）を介して他の無線基地局１０と信号を送受信（バックホールシグナリング）してもよい。
【００９８】
送受信部１０３は、スロット毎にＤＣＩ及びＰＤＳＣＨを送信する。ＤＣＩは、ＰＤＳＣＨをスケジュールする情報が含まれている。ＤＣＩにはパラメータＫ１がセットされていて、ＰＤＳＣＨに対するＨＡＲＱ−ＡＣＫを送信するスロットを指示している。例えば、複数のＤＣＩが同じスロット６を指示している。また、ＤＣＩに含まれるＰＵＣＣＨインディケータフィールドが同じ又は異なるＰＵＣＣＨリソースを指示している。
【００９９】
図７は、本発明の一実施形態に係る無線基地局の機能構成の一例を示す図である。なお、本例では、本実施形態における特徴部分の機能ブロックを主に示しており、無線基地局１０は、無線通信に必要な他の機能ブロックも有すると想定されてもよい。
【０１００】
ベースバンド信号処理部１０４は、制御部（スケジューラ）３０１と、送信信号生成部３０２と、マッピング部３０３と、受信信号処理部３０４と、測定部３０５と、を少なくとも備えている。なお、これらの構成は、無線基地局１０に含まれていればよく、一部又は全部の構成がベースバンド信号処理部１０４に含まれなくてもよい。
【０１０１】
制御部（スケジューラ）３０１は、無線基地局１０全体の制御を実施する。制御部３０１は、本発明に係る技術分野での共通認識に基づいて説明されるコントローラ、制御回路又は制御装置から構成することができる。
【０１０２】
制御部３０１は、例えば、送信信号生成部３０２における信号の生成、マッピング部３０３における信号の割り当てなどを制御する。また、制御部３０１は、受信信号処理部３０４における信号の受信処理、測定部３０５における信号の測定などを制御する。
【０１０３】
制御部３０１は、システム情報、下りデータ信号（例えば、ＰＤＳＣＨで送信される信号）、下り制御信号（例えば、ＰＤＣＣＨ及び／又はＥＰＤＣＣＨで送信される信号。送達確認情報など）のスケジューリング（例えば、リソース割り当て）を制御する。また、制御部３０１は、上りデータ信号に対する再送制御の要否を判定した結果などに基づいて、下り制御信号、下りデータ信号などの生成を制御する。また、制御部３０１は、同期信号（例えば、ＰＳＳ（Primary  Synchronization  Signal）／ＳＳＳ（Secondary  Synchronization  Signal））、下り参照信号（例えば、ＣＲＳ、ＣＳＩ−ＲＳ、ＤＭＲＳ）などのスケジューリングの制御を行う。
【０１０４】
また、制御部３０１は、上りデータ信号（例えば、ＰＵＳＣＨで送信される信号）、上り制御信号（例えば、ＰＵＣＣＨ及び／又はＰＵＳＣＨで送信される信号。送達確認情報など）、ランダムアクセスプリアンブル（例えば、ＰＲＡＣＨで送信される信号）、上り参照信号などのスケジューリングを制御する。
【０１０５】
また、制御部３０１は、スロット毎にＤＣＩ及びＰＤＳＣＨの情報を生成する。ＤＣＩは、ＰＤＳＣＨをスケジュールする情報が含まれている。ＤＣＩにはパラメータＫ１をセットする。また、ＤＣＩに含まれるＰＵＣＣＨインディケータフィールドに同じ又は異なるＰＵＣＣＨリソースを割り当てる。
【０１０６】
送信信号生成部３０２は、制御部３０１からの指示に基づいて、下り信号（下り制御信号、下りデータ信号、下り参照信号など）を生成して、マッピング部３０３に出力する。送信信号生成部３０２は、本発明に係る技術分野での共通認識に基づいて説明される信号生成器、信号生成回路又は信号生成装置から構成することができる。
【０１０７】
送信信号生成部３０２は、例えば、制御部３０１からの指示に基づいて、下りデータの割り当て情報を通知するＤＬアサインメント及び／又は上りデータの割り当て情報を通知するＵＬグラントを生成する。ＤＬアサインメント及びＵＬグラントは、いずれもＤＣＩであり、ＤＣＩフォーマットに従う。また、下りデータ信号には、各ユーザ端末２０からのチャネル状態情報（ＣＳＩ：Channel  State  Information）などに基づいて決定された符号化率、変調方式などに従って符号化処理、変調処理が行われる。
【０１０８】
マッピング部３０３は、制御部３０１からの指示に基づいて、送信信号生成部３０２で生成された下り信号を、所定の無線リソースにマッピングして、送受信部１０３に出力する。マッピング部３０３は、本発明に係る技術分野での共通認識に基づいて説明されるマッパー、マッピング回路又はマッピング装置から構成することができる。
【０１０９】
受信信号処理部３０４は、送受信部１０３から入力された受信信号に対して、受信処理（例えば、デマッピング、復調、復号など）を行う。ここで、受信信号は、例えば、ユーザ端末２０から送信される上り信号（上り制御信号、上りデータ信号、上り参照信号など）である。受信信号処理部３０４は、本発明に係る技術分野での共通認識に基づいて説明される信号処理器、信号処理回路又は信号処理装置から構成することができる。
【０１１０】
受信信号処理部３０４は、受信処理によって復号された情報を制御部３０１に出力する。例えば、ＨＡＲＱ−ＡＣＫを含むＰＵＣＣＨを受信した場合、ＨＡＲＱ−ＡＣＫを制御部３０１に出力する。また、受信信号処理部３０４は、受信信号及び／又は受信処理後の信号を、測定部３０５に出力する。
【０１１１】
測定部３０５は、受信した信号に関する測定を実施する。測定部３０５は、本発明に係る技術分野での共通認識に基づいて説明される測定器、測定回路又は測定装置から構成することができる。
【０１１２】
例えば、測定部３０５は、受信した信号に基づいて、ＲＲＭ（Radio  Resource  Management）測定、ＣＳＩ（Channel  State  Information）測定などを行ってもよい。測定部３０５は、受信電力（例えば、ＲＳＲＰ（Reference  Signal  Received  Power））、受信品質（例えば、ＲＳＲＱ（Reference  Signal  Received  Quality）、ＳＩＮＲ（Signal  to  Interference  plus  Noise  Ratio）、ＳＮＲ（Signal  to  Noise  Ratio））、信号強度（例えば、ＲＳＳＩ（Received  Signal  Strength  Indicator））、伝搬路情報（例えば、ＣＳＩ）などについて測定してもよい。測定結果は、制御部３０１に出力されてもよい。
【０１１３】
（ユーザ端末）
図８は、本発明の一実施形態に係るユーザ端末の全体構成の一例を示す図である。ユーザ端末２０は、複数の送受信アンテナ２０１と、アンプ部２０２と、送受信部２０３と、ベースバンド信号処理部２０４と、アプリケーション部２０５と、を備えている。なお、送受信アンテナ２０１、アンプ部２０２、送受信部２０３は、それぞれ１つ以上を含むように構成されればよい。
【０１１４】
送受信アンテナ２０１で受信された無線周波数信号は、アンプ部２０２で増幅される。送受信部２０３は、アンプ部２０２で増幅された下り信号を受信する。送受信部２０３は、受信信号をベースバンド信号に周波数変換して、ベースバンド信号処理部２０４に出力する。送受信部２０３は、本発明に係る技術分野での共通認識に基づいて説明されるトランスミッター／レシーバー、送受信回路又は送受信装置から構成することができる。なお、送受信部２０３は、一体の送受信部として構成されてもよいし、送信部及び受信部から構成されてもよい。
【０１１５】
ベースバンド信号処理部２０４は、入力されたベースバンド信号に対して、ＦＦＴ処理、誤り訂正復号、再送制御の受信処理などを行う。下りリンクのユーザデータは、アプリケーション部２０５に転送される。アプリケーション部２０５は、物理レイヤ及びＭＡＣレイヤより上位のレイヤに関する処理などを行う。また、下りリンクのデータのうち、ブロードキャスト情報もアプリケーション部２０５に転送されてもよい。
【０１１６】
一方、上りリンクのユーザデータについては、アプリケーション部２０５からベースバンド信号処理部２０４に入力される。ベースバンド信号処理部２０４では、再送制御の送信処理（例えば、ＨＡＲＱの送信処理）、チャネル符号化、プリコーディング、離散フーリエ変換（ＤＦＴ：Discrete  Fourier  Transform）処理、ＩＦＦＴ処理などが行われて送受信部２０３に転送される。送受信部２０３は、ベースバンド信号処理部２０４から出力されたベースバンド信号を無線周波数帯に変換して送信する。送受信部２０３で周波数変換された無線周波数信号は、アンプ部２０２によって増幅され、送受信アンテナ２０１から送信される。
【０１１７】
また、送受信部２０３は、下りリンクを介してＤＣＩ及びＰＤＳＣＨを受信し（図３、図４Ａ，図４Ｂ参照）、上りリンクを介してＰＤＳＣＨに対するＨＡＲＱＡＣＫを送信する。
【０１１８】
図９は、本発明の一実施形態に係るユーザ端末の機能構成の一例を示す図である。なお、本例においては、本実施形態における特徴部分の機能ブロックを主に示しており、ユーザ端末２０は、無線通信に必要な他の機能ブロックも有すると想定されてもよい。
【０１１９】
ユーザ端末２０が有するベースバンド信号処理部２０４は、制御部４０１と、送信信号生成部４０２と、マッピング部４０３と、受信信号処理部４０４と、測定部４０５と、を少なくとも備えている。なお、これらの構成は、ユーザ端末２０に含まれていればよく、一部又は全部の構成がベースバンド信号処理部２０４に含まれなくてもよい。
【０１２０】
制御部４０１は、ユーザ端末２０全体の制御を実施する。制御部４０１は、本発明に係る技術分野での共通認識に基づいて説明されるコントローラ、制御回路又は制御装置から構成することができる。
【０１２１】
制御部４０１は、例えば、送信信号生成部４０２における信号の生成、マッピング部４０３における信号の割り当てなどを制御する。また、制御部４０１は、受信信号処理部４０４における信号の受信処理、測定部４０５における信号の測定などを制御する。
【０１２２】
制御部４０１は、無線基地局１０から送信された下り制御信号及び下りデータ信号を、受信信号処理部４０４から取得する。制御部４０１は、下り制御信号及び／又は下りデータ信号に対する再送制御の要否を判定した結果などに基づいて、上り制御信号及び／又は上りデータ信号の生成を制御する。
【０１２３】
また、制御部４０１は、ＤＣＩで通知されるＨＡＲＱ−ＡＣＫの送信タイミング（スロット）が同じであれば、同じスロットで送られるＨＡＲＱ−ＡＣＫを同じＨＡＲＱ−ＡＣＫコードブックにセットするように制御する（第１の態様）。例えば、複数のＨＡＲＱ−ＡＣＫ＃１、ＨＡＲＱ−ＡＣＫ＃２がセットされたＨＡＲＱ−ＡＣＫコードブックを所定のＰＵＣＣＨリソースに割り当て、各ＰＤＳＣＨに対する各ＨＡＲＱ−ＡＣＫがＰＵＣＣＨリソースを用いてフィードバックされる。
また、制御部４０１は、ＤＣＩで通知されるＨＡＲＱ−ＡＣＫの送信タイミング（例えば、ＰＵＣＣＨリソースが割当てられるスロット）に加えて、設定されるＰＵＣＣＨリソースに基づいてＨＡＲＱ−ＡＣＫコードブックの生成を制御する（第２の態様）。例えば、複数のＰＤＳＣＨをそれぞれスケジュールする各ＤＣＩが、同じＨＡＲＱ−ＡＣＫの送信タイミング（スロット）を指示していて、加えて同じＰＵＣＣＨリソースを指示していれば、複数のＰＤＳＣＨに対する複数のＨＡＲＱ−ＡＣＫは同じＨＡＲＱ−ＡＣＫコードブックにセットされる（図４Ａ）。一方、ＤＣＩで通知されるＰＵＣＣＨリソースが異なる場合は、スロットが同じであっても、複数のＨＡＲＱ−ＡＣＫ、ＨＡＲＱ−ＡＣＫを、異なるＨＡＲＱ−ＡＣＫコードブックにセットする（図４Ｂ）。
また、制御部４０１は、第１の態様に基づいたＨＡＲＱ−ＡＣＫコードブックの制御方式と、第２の態様に基づいたＨＡＲＱ−ＡＣＫコードブックの制御方式とを、所定の状況に応じて変更しても良い。第１のサービスタイプが適用される場合は、第１の態様に基づいたＨＡＲＱ−ＡＣＫコードブックの制御方式を適用し、第２のサービスタイプが適用される場合は、第２の態様に基づいたＨＡＲＱ−ＡＣＫコードブックの制御方式を適用する。
【０１２４】
送信信号生成部４０２は、制御部４０１からの指示に基づいて、上り信号（上り制御信号、上りデータ信号、上り参照信号など）を生成して、マッピング部４０３に出力する。送信信号生成部４０２は、本発明に係る技術分野での共通認識に基づいて説明される信号生成器、信号生成回路又は信号生成装置から構成することができる。
【０１２５】
送信信号生成部４０２は、例えば、制御部４０１からの指示に基づいて、送達確認情報、チャネル状態情報（ＣＳＩ）などに関する上り制御信号を生成する。また、送信信号生成部４０２は、制御部４０１からの指示に基づいて上りデータ信号を生成する。例えば、送信信号生成部４０２は、無線基地局１０から通知される下り制御信号にＵＬグラントが含まれている場合に、制御部４０１から上りデータ信号の生成を指示される。
【０１２６】
マッピング部４０３は、制御部４０１からの指示に基づいて、送信信号生成部４０２で生成された上り信号を無線リソースにマッピングして、送受信部２０３へ出力する。マッピング部４０３は、本発明に係る技術分野での共通認識に基づいて説明されるマッパー、マッピング回路又はマッピング装置から構成することができる。
【０１２７】
受信信号処理部４０４は、送受信部２０３から入力された受信信号に対して、受信処理（例えば、デマッピング、復調、復号など）を行う。ここで、受信信号は、例えば、無線基地局１０から送信される下り信号（下り制御信号、下りデータ信号、下り参照信号など）である。受信信号処理部４０４は、本発明に係る技術分野での共通認識に基づいて説明される信号処理器、信号処理回路又は信号処理装置から構成することができる。また、受信信号処理部４０４は、本発明に係る受信部を構成することができる。
【０１２８】
受信信号処理部４０４は、受信処理によって復号された情報を制御部４０１に出力する。受信信号処理部４０４は、例えば、ブロードキャスト情報、システム情報、ＲＲＣシグナリング、ＤＣＩなどを、制御部４０１に出力する。また、受信信号処理部４０４は、受信信号及び／又は受信処理後の信号を、測定部４０５に出力する。
【０１２９】
測定部４０５は、受信した信号に関する測定を実施する。測定部４０５は、本発明に係る技術分野での共通認識に基づいて説明される測定器、測定回路又は測定装置から構成することができる。
【０１３０】
例えば、測定部４０５は、受信した信号に基づいて、ＲＲＭ測定、ＣＳＩ測定などを行ってもよい。測定部４０５は、受信電力（例えば、ＲＳＲＰ）、受信品質（例えば、ＲＳＲＱ、ＳＩＮＲ、ＳＮＲ）、信号強度（例えば、ＲＳＳＩ）、伝搬路情報（例えば、ＣＳＩ）などについて測定してもよい。測定結果は、制御部４０１に出力されてもよい。
【０１３１】
（ハードウェア構成）
なお、上記実施形態の説明に用いたブロック図は、機能単位のブロックを示している。これらの機能ブロック（構成部）は、ハードウェア及び／又はソフトウェアの任意の組み合わせによって実現される。また、各機能ブロックの実現方法は特に限定されない。すなわち、各機能ブロックは、物理的及び／又は論理的に結合した１つの装置を用いて実現されてもよいし、物理的及び／又は論理的に分離した２つ以上の装置を直接的及び／又は間接的に（例えば、有線及び／又は無線を用いて）接続し、これら複数の装置を用いて実現されてもよい。
【０１３２】
例えば、本発明の一実施形態における無線基地局、ユーザ端末などは、本発明の無線通信方法の処理を行うコンピュータとして機能してもよい。図１０は、本発明の一実施形態に係る無線基地局及びユーザ端末のハードウェア構成の一例を示す図である。上述の無線基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０１３３】
なお、以下の説明では、「装置」という文言は、回路、デバイス、ユニットなどに読み替えることができる。無線基地局１０及びユーザ端末２０のハードウェア構成は、図に示した各装置を１つ又は複数含むように構成されてもよいし、一部の装置を含まずに構成されてもよい。
【０１３４】
例えば、プロセッサ１００１は１つだけ図示されているが、複数のプロセッサがあってもよい。また、処理は、１のプロセッサによって実行されてもよいし、処理が同時に、逐次に、又はその他の手法を用いて、１以上のプロセッサによって実行されてもよい。なお、プロセッサ１００１は、１以上のチップによって実装されてもよい。
【０１３５】
無線基地局１０及びユーザ端末２０における各機能は、例えば、プロセッサ１００１、メモリ１００２などのハードウェア上に所定のソフトウェア（プログラム）を読み込ませることによって、プロセッサ１００１が演算を行い、通信装置１００４を介する通信を制御したり、メモリ１００２及びストレージ１００３におけるデータの読み出し及び／又は書き込みを制御したりすることによって実現される。
【０１３６】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）によって構成されてもよい。例えば、上述のベースバンド信号処理部１０４（２０４）、呼処理部１０５などは、プロセッサ１００１によって実現されてもよい。
【０１３７】
また、プロセッサ１００１は、プログラム（プログラムコード）、ソフトウェアモジュール、データなどを、ストレージ１００３及び／又は通信装置１００４からメモリ１００２に読み出し、これらに従って各種の処理を実行する。プログラムとしては、上述の実施形態において説明した動作の少なくとも一部をコンピュータに実行させるプログラムが用いられる。例えば、ユーザ端末２０の制御部４０１は、メモリ１００２に格納され、プロセッサ１００１において動作する制御プログラムによって実現されてもよく、他の機能ブロックについても同様に実現されてもよい。
【０１３８】
メモリ１００２は、コンピュータ読み取り可能な記録媒体であり、例えば、ＲＯＭ（Read  Only  Memory）、ＥＰＲＯＭ（Erasable  Programmable  ROM）、ＥＥＰＲＯＭ（Electrically  EPROM）、ＲＡＭ（Random  Access  Memory）、その他の適切な記憶媒体の少なくとも１つによって構成されてもよい。メモリ１００２は、レジスタ、キャッシュ、メインメモリ（主記憶装置）などと呼ばれてもよい。メモリ１００２は、本発明の一実施形態に係る無線通信方法を実施するために実行可能なプログラム（プログラムコード）、ソフトウェアモジュールなどを保存することができる。
【０１３９】
ストレージ１００３は、コンピュータ読み取り可能な記録媒体であり、例えば、フレキシブルディスク、フロッピー（登録商標）ディスク、光磁気ディスク（例えば、コンパクトディスク（ＣＤ−ＲＯＭ（Compact  Disc  ROM）など）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つによって構成されてもよい。ストレージ１００３は、補助記憶装置と呼ばれてもよい。
【０１４０】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び／又は時分割複信（ＴＤＤ：Time  Division  Duplex）を実現するために、高周波スイッチ、デュプレクサ、フィルタ、周波数シンセサイザなどを含んで構成されてもよい。例えば、上述の送受信アンテナ１０１（２０１）、アンプ部１０２（２０２）、送受信部１０３（２０３）、伝送路インターフェース１０６などは、通信装置１００４によって実現されてもよい。
【０１４１】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤ（Light  Emitting  Diode）ランプなど）である。なお、入力装置１００５及び出力装置１００６は、一体となった構成（例えば、タッチパネル）であってもよい。
【０１４２】
また、プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【０１４３】
また、無線基地局１０及びユーザ端末２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアを用いて各機能ブロックの一部又は全てが実現されてもよい。例えば、プロセッサ１００１は、これらのハードウェアの少なくとも１つを用いて実装されてもよい。
【０１４４】
（変形例）
なお、本明細書において説明した用語及び／又は本明細書の理解に必要な用語については、同一の又は類似する意味を有する用語と置き換えてもよい。例えば、チャネル及び／又はシンボルは信号（シグナリング）であってもよい。また、信号はメッセージであってもよい。参照信号は、ＲＳ（Reference  Signal）と略称することもでき、適用される標準によってパイロット（Pilot）、パイロット信号などと呼ばれてもよい。また、コンポーネントキャリア（ＣＣ：Component  Carrier）は、セル、周波数キャリア、キャリア周波数などと呼ばれてもよい。
【０１４５】
また、無線フレームは、時間領域において１つ又は複数の期間（フレーム）によって構成されてもよい。無線フレームを構成する当該１つ又は複数の各期間（フレーム）は、サブフレームと呼ばれてもよい。さらに、サブフレームは、時間領域において１つ又は複数のスロットによって構成されてもよい。サブフレームは、ニューメロロジーに依存しない固定の時間長（例えば、１ｍｓ）であってもよい。
【０１４６】
さらに、スロットは、時間領域において１つ又は複数のシンボル（ＯＦＤＭ（Orthogonal  Frequency  Division  Multiplexing）シンボル、ＳＣ−ＦＤＭＡ（Single  Carrier  Frequency  Division  Multiple  Access）シンボルなど）によって構成されてもよい。また、スロットは、ニューメロロジーに基づく時間単位であってもよい。また、スロットは、複数のミニスロットを含んでもよい。各ミニスロットは、時間領域において１つ又は複数のシンボルによって構成されてもよい。また、ミニスロットは、サブスロットと呼ばれてもよい。
【０１４７】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。例えば、１サブフレームは送信時間間隔（ＴＴＩ：Transmission  Time  Interval）と呼ばれてもよいし、複数の連続したサブフレームがＴＴＩと呼ばれてよいし、１スロット又は１ミニスロットがＴＴＩと呼ばれてもよい。つまり、サブフレーム及び／又はＴＴＩは、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０１４８】
ここで、ＴＴＩは、例えば、無線通信におけるスケジューリングの最小時間単位のことをいう。例えば、ＬＴＥシステムでは、無線基地局が各ユーザ端末に対して、無線リソース（各ユーザ端末において使用することが可能な周波数帯域幅、送信電力など）を、ＴＴＩ単位で割り当てるスケジューリングを行う。なお、ＴＴＩの定義はこれに限られない。
【０１４９】
ＴＴＩは、チャネル符号化されたデータパケット（トランスポートブロック）、コードブロック、及び／又はコードワードの送信時間単位であってもよいし、スケジューリング、リンクアダプテーションなどの処理単位となってもよい。なお、ＴＴＩが与えられたとき、実際にトランスポートブロック、コードブロック、及び／又はコードワードがマッピングされる時間区間（例えば、シンボル数）は、当該ＴＴＩよりも短くてもよい。
【０１５０】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０１５１】
１ｍｓの時間長を有するＴＴＩは、通常ＴＴＩ（ＬＴＥ  Ｒｅｌ．８−１２におけるＴＴＩ）、ノーマルＴＴＩ、ロングＴＴＩ、通常サブフレーム、ノーマルサブフレーム、又はロングサブフレームなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、又は、サブスロットなどと呼ばれてもよい。
【０１５２】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０１５３】
リソースブロック（ＲＢ：Resource  Block）は、時間領域及び周波数領域のリソース割当単位であり、周波数領域において、１つ又は複数個の連続した副搬送波（サブキャリア（subcarrier））を含んでもよい。また、ＲＢは、時間領域において、１つ又は複数個のシンボルを含んでもよく、１スロット、１ミニスロット、１サブフレーム又は１ＴＴＩの長さであってもよい。１ＴＴＩ、１サブフレームは、それぞれ１つ又は複数のリソースブロックによって構成されてもよい。なお、１つ又は複数のＲＢは、物理リソースブロック（ＰＲＢ：Physical  RB）、サブキャリアグループ（ＳＣＧ：Sub-Carrier  Group）、リソースエレメントグループ（ＲＥＧ：Resource  Element  Group）、ＰＲＢペア、ＲＢペアなどと呼ばれてもよい。
【０１５４】
また、リソースブロックは、１つ又は複数のリソースエレメント（ＲＥ：Resource  Element）によって構成されてもよい。例えば、１ＲＥは、１サブキャリア及び１シンボルの無線リソース領域であってもよい。
【０１５５】
なお、上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（ＣＰ：Cyclic  Prefix）長などの構成は、様々に変更することができる。
【０１５６】
また、本明細書において説明した情報、パラメータなどは、絶対値を用いて表されてもよいし、所定の値からの相対値を用いて表されてもよいし、対応する別の情報を用いて表されてもよい。例えば、無線リソースは、所定のインデックスによって指示されてもよい。
【０１５７】
本明細書においてパラメータなどに使用する名称は、いかなる点においても限定的な名称ではない。例えば、様々なチャネル（ＰＵＣＣＨ（Physical  Uplink  Control  Channel）、ＰＤＣＣＨ（Physical  Downlink  Control  Channel）など）及び情報要素は、あらゆる好適な名称によって識別できるので、これらの様々なチャネル及び情報要素に割り当てている様々な名称は、いかなる点においても限定的な名称ではない。
【０１５８】
本明細書において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０１５９】
また、情報、信号などは、上位レイヤから下位レイヤ、及び／又は下位レイヤから上位レイヤへ出力され得る。情報、信号などは、複数のネットワークノードを介して入出力されてもよい。
【０１６０】
入出力された情報、信号などは、特定の場所（例えば、メモリ）に保存されてもよいし、管理テーブルを用いて管理してもよい。入出力される情報、信号などは、上書き、更新又は追記をされ得る。出力された情報、信号などは、削除されてもよい。入力された情報、信号などは、他の装置へ送信されてもよい。
【０１６１】
情報の通知は、本明細書において説明した態様／実施形態に限られず、他の方法を用いて行われてもよい。例えば、情報の通知は、物理レイヤシグナリング（例えば、下り制御情報（ＤＣＩ：Downlink  Control  Information）、上り制御情報（ＵＣＩ：Uplink  Control  Information））、上位レイヤシグナリング（例えば、ＲＲＣ（Radio  Resource  Control）シグナリング、ブロードキャスト情報（マスタ情報ブロック（ＭＩＢ：Master  Information  Block）、システム情報ブロック（ＳＩＢ：System  Information  Block）など）、ＭＡＣ（Medium  Access  Control）シグナリング）、その他の信号又はこれらの組み合わせによって実施されてもよい。
【０１６２】
なお、物理レイヤシグナリングは、Ｌ１／Ｌ２（Layer  1／Layer  2）制御情報（Ｌ１／Ｌ２制御信号）、Ｌ１制御情報（Ｌ１制御信号）などと呼ばれてもよい。また、ＲＲＣシグナリングは、ＲＲＣメッセージと呼ばれてもよく、例えば、ＲＲＣ接続セットアップ（RRCConnectionSetup）メッセージ、ＲＲＣ接続再構成（RRCConnectionReconfiguration）メッセージなどであってもよい。また、ＭＡＣシグナリングは、例えば、ＭＡＣ制御要素（ＭＡＣ  ＣＥ（Control  Element））を用いて通知されてもよい。
【０１６３】
また、所定の情報の通知（例えば、「Ｘであること」の通知）は、明示的な通知に限られず、暗示的に（例えば、当該所定の情報の通知を行わないことによって又は別の情報の通知によって）行われてもよい。
【０１６４】
判定は、１ビットで表される値（０か１か）によって行われてもよいし、真（true）又は偽（false）で表される真偽値（boolean）によって行われてもよいし、数値の比較（例えば、所定の値との比較）によって行われてもよい。
【０１６５】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０１６６】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び／又は無線技術（赤外線、マイクロ波など）を使用してウェブサイト、サーバ、又は他のリモートソースから送信される場合、これらの有線技術及び／又は無線技術は、伝送媒体の定義内に含まれる。
【０１６７】
本明細書において使用する「システム」及び「ネットワーク」という用語は、互換的に使用される。
【０１６８】
本明細書においては、「基地局（ＢＳ：Base  Station）」、「無線基地局」、「ｅＮＢ」、「ｇＮＢ」、「セル」、「セクタ」、「セルグループ」、「キャリア」及び「コンポーネントキャリア」という用語は、互換的に使用され得る。基地局は、固定局（fixed  station）、ＮｏｄｅＢ、ｅＮｏｄｅＢ（ｅＮＢ）、アクセスポイント（access  point）、送信ポイント、受信ポイント、フェムトセル、スモールセルなどの用語で呼ばれる場合もある。
【０１６９】
基地局は、１つ又は複数（例えば、３つ）のセル（セクタとも呼ばれる）を収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Remote  Radio  Head）によって通信サービスを提供することもできる。「セル」又は「セクタ」という用語は、このカバレッジにおいて通信サービスを行う基地局及び／又は基地局サブシステムのカバレッジエリアの一部又は全体を指す。
【０１７０】
本明細書においては、「移動局（ＭＳ：Mobile  Station）」、「ユーザ端末（user  terminal）」、「ユーザ装置（ＵＥ：User  Equipment）」及び「端末」という用語は、互換的に使用され得る。基地局は、固定局（fixed  station）、ＮｏｄｅＢ、ｅＮｏｄｅＢ（ｅＮＢ）、アクセスポイント（access  point）、送信ポイント、受信ポイント、フェムトセル、スモールセルなどの用語で呼ばれる場合もある。
【０１７１】
移動局は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【０１７２】
また、本明細書における無線基地局は、ユーザ端末で読み替えてもよい。例えば、無線基地局及びユーザ端末間の通信を、複数のユーザ端末間（Ｄ２Ｄ：Device-to-Device）の通信に置き換えた構成について、本発明の各態様／実施形態を適用してもよい。この場合、上述の無線基地局１０が有する機能をユーザ端末２０が有する構成としてもよい。また、「上り」及び「下り」などの文言は、「サイド」と読み替えられてもよい。例えば、上りチャネルは、サイドチャネルと読み替えられてもよい。
【０１７３】
同様に、本明細書におけるユーザ端末は、無線基地局で読み替えてもよい。この場合、上述のユーザ端末２０が有する機能を無線基地局１０が有する構成としてもよい。
【０１７４】
本明細書において、基地局によって行われるとした動作は、場合によってはその上位ノード（upper  node）によって行われることもある。基地局を有する１つ又は複数のネットワークノード（network  nodes）を含むネットワークにおいて、端末との通信のために行われる様々な動作は、基地局、基地局以外の１つ以上のネットワークノード（例えば、ＭＭＥ（Mobility  Management  Entity）、Ｓ−ＧＷ（Serving-Gateway）などが考えられるが、これらに限られない）又はこれらの組み合わせによって行われ得ることは明らかである。
【０１７５】
本明細書において説明した各態様／実施形態は単独で用いてもよいし、組み合わせて用いてもよいし、実行に伴って切り替えて用いてもよい。また、本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【０１７６】
本明細書において説明した各態様／実施形態は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、Ｎｅｗ−ＲＡＴ（Radio  Access  Technology）、ＮＲ（New  Radio）、ＮＸ（New  radio  access）、ＦＸ（Future  generation  radio  access）、ＧＳＭ（登録商標）（Global  System  for  Mobile  communications）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切な無線通信方法を利用するシステム及び／又はこれらに基づいて拡張された次世代システムに適用されてもよい。
【０１７７】
本明細書において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０１７８】
本明細書において使用する「第１の」、「第２の」などの呼称を使用した要素へのいかなる参照も、それらの要素の量又は順序を全般的に限定しない。これらの呼称は、２つ以上の要素間を区別する便利な方法として本明細書において使用され得る。したがって、第１及び第２の要素の参照は、２つの要素のみが採用され得ること又は何らかの形で第１の要素が第２の要素に先行しなければならないことを意味しない。
【０１７９】
本明細書において使用する「判断（決定）（determining）」という用語は、多種多様な動作を包含する場合がある。例えば、「判断（決定）」は、計算（calculating）、算出（computing）、処理（processing）、導出（deriving）、調査（investigating）、探索（looking  up）（例えば、テーブル、データベース又は別のデータ構造での探索）、確認（ascertaining）などを「判断（決定）」することであるとみなされてもよい。また、「判断（決定）」は、受信（receiving）（例えば、情報を受信すること）、送信（transmitting）（例えば、情報を送信すること）、入力（input）、出力（output）、アクセス（accessing）（例えば、メモリ中のデータにアクセスすること）などを「判断（決定）」することであるとみなされてもよい。また、「判断（決定）」は、解決（resolving）、選択（selecting）、選定（choosing）、確立（establishing）、比較（comparing）などを「判断（決定）」することであるとみなされてもよい。つまり、「判断（決定）」は、何らかの動作を「判断（決定）」することであるとみなされてもよい。
【０１８０】
本明細書において使用する「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的であっても、論理的であっても、あるいはこれらの組み合わせであってもよい。例えば、「接続」は「アクセス」と読み替えられてもよい。
【０１８１】
本明細書において、２つの要素が接続される場合、１又はそれ以上の電線、ケーブル及び／又はプリント電気接続を用いて、並びにいくつかの非限定的かつ非包括的な例として、無線周波数領域、マイクロ波領域及び／又は光（可視及び不可視の両方）領域の波長を有する電磁エネルギーなどを用いて、互いに「接続」又は「結合」されると考えることができる。
【０１８２】
本明細書において、「ＡとＢが異なる」という用語は、「ＡとＢが互いに異なる」ことを意味してもよい。「離れる」、「結合される」などの用語も同様に解釈されてもよい。
【０１８３】
本明細書又は請求の範囲において、「含む（including）」、「含んでいる（comprising）」、及びそれらの変形が使用されている場合、これらの用語は、用語「備える」と同様に、包括的であることが意図される。さらに、本明細書あるいは請求の範囲において使用されている用語「又は（or）」は、排他的論理和ではないことが意図される。
【０１８４】
以上、本発明について詳細に説明したが、当業者にとっては、本発明が本明細書中に説明した実施形態に限定されないということは明らかである。本発明は、請求の範囲の記載に基づいて定まる本発明の趣旨及び範囲を逸脱することなく修正及び変更態様として実施することができる。したがって、本明細書の記載は、例示説明を目的とし、本発明に対して何ら制限的な意味をもたらさない。
【図１】
2019215934.tif 000003
【図２】
2019215934.tif 000004
【図３】
2019215934.tif 000005
【図４】
2019215934.tif 000006
【図５】
2019215934.tif 000007
【図６】
2019215934.tif 000008
【図７】
2019215934.tif 000009
【図８】
2019215934.tif 000010
【図９】
2019215934.tif 000011
【図１０】
2019215934.tif 000012
【国際調査報告】
2019215934.tif 000013
2019215934.tif 000014
2019215934.tif 000015
2019215934.tif 000016